(57)【要約】      （修正有）【課題】椅子状態に変形可能なベッドに使用するサイドレールであって、前方へ立ち上がる際に把持しやすい位置に可動柵を位置できると共に、その可動柵に少なくとも手首から肘の間の腕部分を乗せ置くことを可能として立ち上がり動作を行いやすくしたサイドレールを提供すること。【解決手段】ベッドの側部に固定される固定柵１１に対して可動柵１２を回動可能かつ固定柵と可動柵が同一平面を形成する状態と固定柵に対して略々直行する平面を可動柵が形成する状態とで可動柵を保持可能とした状態保持手段１３を介して固定柵に可動柵を組付ける。また、可動柵に腕を乗せることが可能な腕置き部を具備する。また、固定柵に対して略々直行する平面を可動柵が形成する状態で可動柵をベッドの床部上方に位置させた際に、ベッド両側部から張り出した二つの可動柵間を通って前後方向に利用者が歩行移動できるだけの空間が形成される可動柵の大きさとする。【選択図】図１
2007082873.tif 000002
【特許請求の範囲】
【請求項１】
ベッドの床部が平坦な状態と椅子状の状態とに変形可能なベッドに使用するサイドレールにおいて、ベッドの側部に固定される固定柵に、少なくとも手首から肘までの間の腕部分を乗せることが可能な腕置き部を具備した可動柵を、前記固定柵と可動柵が同一平面を形成する状態から固定柵に対して略々直行する平面を可動柵が形成する状態まで可動柵を回動可能とすると共にそれぞれの状態で可動柵を保持可能とした状態保持手段を介して組付けたことを特徴とするサイドレール。
【請求項２】
前記可動柵が固定柵に対して略々直行する平面を形成する状態で可動柵をベッドの床部上方に位置させた際に、ベッドの両側部から張り出した二つの可動柵間を通って少なくとも前後方向に利用者が歩行移動できるだけの空間が形成される可動柵の大きさとしたことを特徴とする請求項１に記載のサイドレール。
【発明の詳細な説明】
【技術分野】
【０００１】
本発明は、ベッドの側部に取り付けて使用するサイドレールに関するものである。
【背景技術】
【０００２】
従来、介護用ベッドとしては床部が３分割され、それぞれが起伏可能に構成されたもので、様々な体位で療養できるようになったものが一般的である。
しかしながら、この種のベッドでは、ベッドから離床する際に、身体の向きを換え、ベッドの側方から立ち上がらなければならず、向きを換えることが困難な方にとっては必ずしも快適なものとはいえないものであった。
【０００３】
そこで、仰臥した状態から椅子に腰掛けた状態に姿勢変更可能なベッドが提案されている（例えば、特許文献１参照。）。
このベッドであれば、ベッド上で向きを換えることなくそのままの状態（腰掛状態）からベッドの前方へ立ち上がればよく、非常に快適なものとなっている。
【０００４】
この種のベッドでは、一般的にベッドフレームにサイドレールを差し込んで使用する。しかしながら、従来のサイドレールはベッドの側部に位置するように構成されており、このようなものを使用した場合にはベッド幅と略々同じ幅となる把持部を持って立ち上がらなければならず力が入りにくく、使用上好ましくない。また、立ち上がりの初期段階におけるベッドの床部から腰を浮かせる際には、サイドレールの把持部を持ってでは力が入り難いため、ベッドの床部に手をついて身体を押上げるようになる。そして、床部より高い位置にあるサイドレールの把持部を持って立ち上がるようになる。そのため、立ち上がり動作の間に、腰を床部から浮かせた状態で手を移動させて掴み直しをしなければならず、立ち上がり動作の間に利用者の身体が非常に不安定な状態となる期間が生じる問題がある（例えば、特許文献２参照。）。
【特許文献１】特開２００４−２９８３７２号公報
【特許文献２】特開２０００−１６６７０３号公報
【発明の開示】
【発明が解決しようとする課題】
【０００５】
そこで、本発明は上記事情に鑑み、椅子状態に姿勢変更可能なベッドにおいて使用するサイドレールであって、前方へ立ち上がる際に、把持しやすい位置に可動柵を位置させることができると共に、その可動柵に少なくとも手首から肘の間の腕部分を乗せ置くことを可能として立ち上がり動作を行いやすくしたサイドレールを提供することを課題としている。
【課題を解決するための手段】
【０００６】
請求項１の発明は、ベッドの床部が平坦な状態と椅子状の状態とに変形可能なベッドに使用するサイドレールにおいて、ベッドの側部に固定される固定柵に、少なくとも手首から肘までの間の腕部分を乗せることが可能な腕置き部を具備した可動柵を、前記固定柵と可動柵が同一平面を形成する状態から固定柵に対して略々直行する平面を可動柵が形成する状態まで可動柵を回動可能とすると共にそれぞれの状態で可動柵を保持可能とした状態保持手段を介して組付けたことを特徴とする。
また、請求項２の発明は、前記可動柵が固定柵に対して略々直行する平面を形成する状態で可動柵をベッドの床部上方に位置させた際に、ベッドの両側部から張り出した二つの可動柵間を通って少なくとも前後方向に利用者が歩行移動できるだけの空間が形成される可動柵の大きさとしたことを特徴とする。
【発明の効果】
【０００７】
請求項１の発明によると、可動柵を固定柵に対して回動させて該可動柵を固定柵に対して略々直行する平面を形成する状態で保持できるようにした。さらに、可動柵に利用者の手首から肘までの間の腕部分を乗せることができる腕置き部を具備した。これにより、可動柵を立ち上がり動作時に把持しやすい利用者の前方に位置させることができる。また、立ち上がりの際に、可動柵の前部を保持すると共に、手首から肘までの間の腕部分を可動柵の腕置き部上に乗せる。そして、可動柵の腕置き部上に載せた肘関節を支点として、腕を畳むように曲げ、臀部をベッドの床部から浮き上がらせる。然る後、肘から手首までの腕部分を、その支点が徐々に切替っていく梃子のようにして身体を押上げ、臀部を足の上方へ移動させる。すなわち、可動柵の把持位置を変えることなく、身体を押上げるための支点を利用者の上体の前移動に合わせて徐々に前方へ移動でき、楽に立ち上がり動作を行うことができる。したがって、ベッドの床部から臀部を浮き上がらせた状態から完全に立ち上がるまでの利用者の身体が不安定な状態の間に、可動柵の把持位置を変える必要がないため、身体を安定するように保持できる状態を保ったまま、安全かつ容易に立ち上がり動作を行うことができる。また、このサイドレールは、固定柵に対して可動柵を回動可能としていることで、可動柵が不必要な場合、固定柵と可動柵が同一平面を形成する状態とでき、可動柵を邪魔とならないように収納することができる。
【０００８】
請求項２の発明によると、固定柵に対して略々直行する平面を形成する状態で可動柵をベッドの床部上方に位置させた際に、可動柵間を通って少なくとも前後方向に利用者が歩行移動できるだけの空間が形成される可動柵の大きさとした。これによると、立ち上がりの動作を行う際に、可動柵が利用者の身体の近くで身体の側方をガードする状態とでき、利用者はより安心感を持って立ち上がり動作を行うことができる。
【発明を実施するための最良の形態】
【０００９】
ベッドの床部が平坦な状態と椅子状の状態とに変形可能なベッドに使用するサイドレールにおいて、ベッドの側部に固定される固定柵に対して可動柵を回動可能かつ固定柵と可動柵が同一平面を形成する状態と固定柵に対して略々直行する平面を可動柵が形成する状態とで可動柵を保持可能とした状態保持手段を介して固定柵に可動柵を組付ける。また、前記可動柵に少なくとも手首から肘までの間の腕部分を乗せることが可能な腕置き部を具備する。さらに、固定柵に対して略々直行する平面を可動柵が形成する状態で可動柵をベッドの床部上方に位置させた際に、ベッドの両側部から張り出した二つの可動柵間を通って少なくとも前後方向に利用者が歩行移動できるだけの空間が形成される可動柵の大きさとする。
【００１０】
このサイドレールは、可動柵を固定柵に対して回動させて該可動柵を固定柵に対して略々直行する平面を形成する状態で保持できるようにした。さらに、可動柵に利用者の手首から肘までの間の腕部分を乗せることができる腕置き部を具備した。これによると、このサイドレールは、可動柵を立ち上がり動作時に把持しやすい利用者の前方に位置させることができる。また、立ち上がりの際、可動柵の前部を保持すると共に、手首から肘までの間の腕部分を可動柵の腕置き部上に乗せる。そして、可動柵の腕置き部上に載せた肘関節を支点として、腕を畳むように曲げ、臀部をベッドの床部から浮き上がらせる。然る後、肘から手首までの腕部分を、その支点が徐々に切替っていく梃子のようにして身体を押上げ、臀部を足の上方へ移動させる。すなわち、可動柵の把持位置を変えることなく、身体を押上げるための支点を利用者の上体の前移動に合わせて徐々に前方へ移動でき、楽に立ち上がり動作を行うことができる。したがって、ベッドの床部から臀部を浮き上がらせた状態から完全に立ち上がるまでの利用者の身体が不安定な状態となる間に、可動柵の把持位置を変える必要がないため、身体を安定するよう保持できる状態を保ったまま、安全かつ容易に立ち上がり動作を行うことができる。
また、このサイドレールは、固定柵に対して可動柵を回動可能としていることで、可動柵が不必要な場合、固定柵と可動柵が同一平面を形成する状態とでき、可動柵を邪魔とならないように収納することができる。
さらに、このサイドレールは、固定柵に対して略々直行する平面を形成する状態で可動柵をベッドの床部上方に位置させた際に、可動柵間を通って少なくとも前後方向に利用者が歩行移動できるだけの空間が形成される可動柵の大きさとした。これによると、立ち上がりの動作を行う際に、可動柵が利用者の身体の近くで身体の側方をガードする状態とでき、利用者はより安心感を持って立ち上がり動作を行うことができる。
【実施例１】
【００１１】
本発明に係るサイドレールの一実施形態を図面に基づいて説明する。第１図はサイドレールを示す説明図である。第２図は状態保持手段の構成を示す説明図である。第３図はベッドにサイドレールを取付けた状態を示す説明図である。第４図はサイドレールを用いた立ち上がり動作の一例を示す説明図である。第５図は第４図に続くサイドレールを用いた立ち上がり動作の一例を示す説明図である。第６図はサイドレールを取付けるベッドの一例を示す説明図である。
【００１２】
まず、本発明に係るサイドレール１を取付けるベッドＢの一例について説明する。
このベッドＢは第６図に示すように構成されている。詳述すると、図中二点鎖線で示す床面上に設置されるベースフレーム２に基台フレーム３が固定され、該基台フレーム３に対して前後移動可能に摺動フレーム４が基台フレーム３に配設されている。また、前記摺動フレーム４には腰受ボトム５が配設されている。そして、該腰受ボトム５の後方側にて隣り合うように、かつ同一平面を形成可能に、前記基台フレーム３と摺動フレーム４との間に構成された起伏機構６にて支持された背受ボトム７が配設されている。さらに、前記腰受ボトム５の前方側にて隣り合うように、かつ同一平面を形成可能に、前記摺動フレーム４の前後移動に応じて作動される収納機構８にて支持された脚受ボトム９が配設されている。また、前記腰受ボトム５、背受ボトム７、脚受ボトム９にはベッドＢの床部を形成するマットＭ１，Ｍ２が載置されている。さらに、このベッドＢには、前記基台フレーム３と摺動フレーム４間に駆動手段１０が配設されている。
【００１３】
このように構成されたベッドＢは、第６図の（ａ）図に示すベッド状態から駆動手段１０を動作させて、摺動フレーム４を後方へ移動させることで、次のように動作される。まず、摺動フレーム４を後方へ移動させると、前記各ボトム５，７，９は後方へと移動される。これに伴って、起伏機構６により背受ボトム７は徐々に背上げされる。すなわち、背受ボトム７は後方へ移動されながら背上げされる。また、摺動フレーム４の後方移動に応じて収納機構８の収納リンク８ａが動作され、前記摺動フレーム４に対して収納機構８の脚受フレーム８ｂが後方へ移動される。これにより、脚受ボトム９と前記脚受フレーム８ｂとの間に構成された収納機構８の支持リンク８ｃが動作され、前記脚受ボトム９は下方へと移動される。すなわち、脚受ボトム９は後方へ移動されながら下方へと移動され、ベッドＢは第６図の（ｂ）図に示す椅子状態に変形される。したがって、このベッドＢは、駆動手段１０を動作させて、摺動フレーム４を基台フレーム３に対して前後方向に移動させることで、起伏機構６及び収納機構８を作動させ、ベッド状態又は椅子状態に変形可能な構成とされている。また、このベッドＢは椅子状態に変形させた際に、ベッドＢ前方に大きな開放空間Ｓ１が形成されるようにされている。
【００１４】
なお、前記駆動手段１０には、電気的な制御が可能なアクチュエーターや油圧装置等を用いることができる。また、ハンドルを回転操作することでネジシャフトを回転させ、それによりネジシャフトに螺合したナット部材を移動させること等により、摺動フレーム４を基台フレーム３に対して移動させる手動式の駆動手段１０を用いることもできる。
また、このベッドＢは、前記摺動フレーム４が基台フレーム３に対して最も前の位置にあるときにベッド状態となり、最も後の位置にあるときに椅子状態となるように構成されている。
【００１５】
続いて、サイドレール１について説明する。
このサイドレール１は、第１図に示すように、ベッドＢの側部に取付けられる少なくとも利用者の腰から肩口までをガード可能な固定柵１１と、該固定柵１１に対して回動可能な可動柵１２と、該可動柵１２を固定柵１１に対して回動可能に連結させると共に可動柵１２と固定柵１１が同一平面を形成する状態と可動柵１２が固定柵１１に対して略々直行する平面を形成する状態とで可動柵１２を保持可能な状態保持手段１３から構成されている。
【００１６】
まず、前記固定柵１１について説明する。
この固定柵１１は、第１図に示すように、下端にベッドＢ側部への取付具１４ａ，１４ａが設けれられた支柱１４，１４の中間部間に連結桁１５が固着されている。また、略々しの字形状に曲折させたフレームパイプ１６を時計回りに９０度回転させた状態で、該フレームパイプ１６の下方側に位置する端部が後側の前記支柱１４の中間部後面に固着されている。さらに、該フレームパイプ１６の上方側中間部下面が前記支柱１４の上端に固着されている。また、該フレームパイプ１６の上方側の端部には後述する状態保持手段１３の構成部材である爪付き軸受１７の後部が固着されている。さらに、前側の前記支柱１４の上端と前記爪付き軸受１７の中間部下面が固着されている。また、前記フレームパイプ１６と連結桁１５間及びフレームパイプ１６の上部側と下部側間には、複数のステーパイプ１８，１８，１８が固着されている。
【００１７】
続いて、前記可動柵１２について説明する。
この可動柵１２は、第１図に示すように、略々矩形状に曲折させたフレームパイプ１９の後向きの端部に後述する状態保持手段１３の構成部材である爪付き軸受２０の前端が固着され、フレームパイプ１９の上向きの端部に前記爪付き軸受２０の中間部下面が固着されている。さらに、前記フレームパイプ１９の上部側と下部側間に、少なくとも利用者の手首から肘までの間の腕部分を乗せることが可能な腕置き部２１となる腕置きプレート２１ａが固着されている。
なお、図示してはいないが、少なくとも前記腕置きプレート２１ａにはクッション部材が設けられている。
また、本実施例においては、腕置き部２１として腕置きプレート２１ａを用いている。しかしながら、図示してはいないが、腕置き部２１を、例えば、棒材を格子状に組んだものとして構成しても良い。また、前記可動柵１２のフレームパイプ１９の上下部間に、棒材をあまり間隔を取らないようにして並列に複数本固着させて腕置き部２１を構成するようにしても機能上何ら問題はない。さらに、腕置き部２１は、可動柵１２の内部だけでなく、可動柵１２の後部にかけて構成するようにしても機能上何ら問題はない。
【００１８】
次に、前記状態保持手段１３について説明する。
この状態保持手段１３は、第２図に示すように、前記固定柵１１に設けた爪付き軸受１７と、前記可動柵１２に設けた爪付き軸受２０と、前記可動柵１２の回動中心となる軸材２２から主に構成されている。
まず、前記固定柵１１に設けた爪付き軸受１７は、前後方向に前記軸材２２が回動可能に嵌合できる空孔部１７ａが穿たれている。また、該爪付き軸受１７の前端部には、前記可動柵１２が前記固定柵１１と同一平面を形成する状態と可動柵１２が固定柵１１に対して略々直行する平面を形成する状態とで可動柵１２を保持するための爪部１７ｂが設けられている（第２図の（ｂ）図参照。）。さらに、この爪付き軸受１７の後部下面には、前記空孔部１７ａまで達するネジ部１７ｃが設けられている。
次に、前記可動柵１２に設けた爪付き軸受２０は、前後方向に前記軸材２２が嵌合可能な空孔部２０ａが穿たれると共に、該空孔部２０ａに前記軸材２２が嵌合されて固定されている。また、この爪付き軸受２０の後端部には、前記固定柵１１に設けた爪付き軸受１７の爪部１７ｂに当接されることで、可動柵１２が前記固定柵１１と同一平面を形成する状態と可動柵１２が固定柵１１に対して略々直行する平面を形成する状態とで可動柵１２を保持させるための爪部２０ｂが設けられている（第２図の（ｃ）図参照。）。
【００１９】
そして、前記可動柵１２に設けた爪付き軸受２０と軸材２２を保護パイプ２３に挿通させると共に、軸材２２を前記固定柵１１に設けた爪付き軸受１７の空孔部１７ａに回動可能に嵌合させる。然る後、前記爪付き軸受１７のネジ部１７ｃにネジ部材２４を、該ネジ部材２４の先端が前記軸材２２の後部に設けた溝部２２ａ内に達するまで螺合させて、状態保持手段１３を組立て、固定柵１１に可動柵１２を回動可能に取付ける（第２図の（ｄ）図参照。）。なお、状態保持手段１３を組立てた状態では、前記可動柵１２に設けた爪付き軸受２０の爪部２０ｂの後端面と前記固定柵１１に設けた爪付き軸受１７の前端面、前記固定柵１１に設けた爪付き軸受１７の爪部１７ｂの前端面と前記可動柵１２に設けた爪付き軸受２０の後端面の少なくとも一方が当接するようにされている。また、前記保護パイプ２３は、固定柵１１に対して可動柵１２を回動させた際に、二つの爪部１７ｂ，２０ｂ間等に利用者の指等が挟み込まれないようにするための保護部材である。
【００２０】
このように構成されたサイドレール１，１は、第３図に示すように、ベッドＢのベースフレーム２側部に設けた取付ユニット２５，２５のボス部材２５ａ，２５ａ，・・・に、固定柵１１，１１の取付具１４ａ，１４ａ，・・・を嵌合させることで取付けられる。このとき、ベッドＢの両側部に設けたサイドレール１，１の可動柵１２，１２を固定柵１１，１１に対して回動させると、第３図の（ｃ）図に示すように、可動柵１２，１２がベッドＢの床部上方にて固定柵１１，１１に対して略々直行する平面を形成する状態となるように、サイドレール１，１はベッドＢに取付けられている。また、その状態では、二つの可動柵１２，１２間を通って少なくとも前後方向に利用者が歩行移動できるだけの空間Ｓ２が形成されようにされている。すなわち、その状態において、二つの可動柵１２，１２間を通って少なくとも前後方向に利用者が歩行移動できるだけの空間Ｓ２が形成される可動柵１２，１２の大きさとしている。
【００２１】
続いて、このサイドレール１，１を用いた立ち上がりのための一使用例について説明する。
まず、第３図の（ｂ）図に示すように、ベッドＢを椅子状態に変形させ、利用者が前向きの状態で腰掛姿勢をとる。
そして、第３図の（ｃ）図及び第４図の（ａ）図に示すように、可動柵１２，１２を回動させて、該可動柵１２，１２をベッドＢの床部上方にて固定柵１１，１１に対して略々直行する平面を形成するようにさせる。すなわち、ベッドＢの床部上方かつ利用者の前方に可動柵１２，１２を位置させる。
然る後、第４図の（ｂ）図に示すように、可動柵１２，１２のフレームパイプ１９，１９後部を把持して、身体が前屈みになるように上体を起こす。
続いて、第４図の（ｃ）図に示すように、可動柵１２，１２のフレームパイプ１９，１９前部を保持すると共に、手首から肘までの間の腕部分を可動柵１２，１２の腕置き部２１，２１である腕置きプレート２１ａ，２１ａ上に乗せる。
そして、第５図の（ａ）図に示すように、可動柵１２，１２の腕置きプレート２１ａ，２１ａ上に載せた肘関節を支点として、腕を畳むように曲げ、臀部をベッドＢの床部から浮き上がらせる。
然る後、可動柵１２，１２の腕置きプレート２１ａ，２１ａから、肘から手首に向かって腕を徐々に離間させるようして身体を押上げ、第５図の（ｂ）図に示すように、臀部を足の上方へ向かって移動させる。すなわち、肘から手首までの腕部分を、その支点が徐々に切替っていく梃子のようにして身体を押上げ、臀部を足の上方へ向かって移動させる。
そして、第５図の（ｃ）図に示すように、二つの可動柵１２，１２間に立ち上がる。
【００２２】
このように、このサイドフレーム１，１は、可動柵１２，１２を固定柵１１，１１に対して回動させて該可動柵１２，１２を固定柵１１，１１に対して略々直行する平面を形成する状態で保持できるようにした。さらに、可動柵１２，１２に利用者の手首から肘までの間の腕部分を乗せることができる腕置き部２１，２１である腕置きプレート２１ａ，２１ａを具備した。これによって、可動柵１２，１２を立ち上がり動作時に把持しやすい利用者の前方に位置させることができる。また、第４図の（ｃ）図から第５図の（ｃ）図に示す立ち上がりの際に、可動柵１２，１２の前部を保持すると共に、手首から肘までの間の腕部分を可動柵１２，１２の腕置き部２１，２１である腕置きプレート２１ａ，２１ａ上に乗せる。そして、可動柵１２，１２の腕置きプレート２１ａ，２１ａ上に載せた肘関節を支点として、腕を畳むように曲げ、臀部をベッドＢの床部から浮き上がらせる。然る後、肘から手首までの腕部分を、その支点が徐々に切替っていく梃子のようにして身体を押上げ、臀部を足の上方へ移動させる。すなわち、可動柵１２，１２の把持位置を変えることなく、身体を押上げるための支点を利用者の上体の前移動に合わせて徐々に前方へ移動でき、楽に立ち上がり動作を行うことができる。したがって、ベッドＢの床部から臀部を浮き上がらせた状態から完全に立ち上がるまでの利用者の身体が不安定な状態となる間に、可動柵１２，１２の把持位置を変える必要がないため、身体を安定するよう保持できる状態を保ったまま、安全かつ容易に立ち上がり動作を行うことができる。
また、このサイドレール１，１は、固定柵１１，１１に対して略々直行する平面を形成する状態に保持させた可動柵１２，１２をベッドＢの床部上方に位置させた状態とした際に、可動柵１２，１２間を通って少なくとも前後方向に利用者が歩行移動できるだけの空間Ｓ２が形成される可動柵の大きさとしている。これによると、立ち上がりの動作を行う際に、可動柵１２，１２が利用者の身体の近くで身体の側方をガードする状態とでき、利用者はより安心感を持って立ち上がり動作を行うことができる。
また、このサイドレール１，１は、固定柵１１，１１に対して可動柵１２，１２を回動可能としていることで、可動柵１２，１２が不必要な場合、例えば、ベッドＢに利用者が仰臥している状態等において、固定柵１１，１１と可動柵１２，１２が同一平面を形成する状態とでき、可動柵１２，１２を邪魔とならないように収納することができる。
【図面の簡単な説明】
【００２３】
【図１】サイドレールを示す説明図。                                          （ａ）その側面図。                                                          （ｂ）その正面図。
【図２】状態保持手段の構成を示す説明図。                                    （ａ）その側面図。                                                          （ｂ）（ａ）図におけるＸ−Ｘ矢視図。                                        （ｃ）（ａ）図におけるＹ−Ｙ断面図。                                        （ｄ）その組立てられた状態を示す側面図。
【図３】ベッドにサイドレールを取付けた状態を示す説明図。                    （ａ）そのベッドのベッド状態における様子を示す側面図。                      （ｂ）そのベッドの椅子状態における様子を示す側面図。                        （ｃ）椅子状態において可動柵を床部上方へと回動させた様子を示す平面図。
【図４】サイドレールを用いた立ち上がり動作の一例を示す説明図。              （ａ）その準備が整った様子を示す側面図。                                    （ｂ）上体を前屈みにする様子を示す側面図。                                  （ｃ）腕を可動柵の適切な位置に位置させた様子を示す側面図。
【図５】第４図に続くサイドレールを用いた立ち上がり動作の一例を示す説明図。  （ａ）腰を浮き上がらせる様子を示す側面図。                                  （ｂ）腰を足の上方へと移動させていく様子を示す側面図。                      （ｃ）立ち上がった様子を示す側面図。
【図６】サイドレールを取付けるベッドの一例を示す説明図。                    （ａ）そのベッド状態を示す側面図。                                          （ｂ）その椅子状態を示す側面図。
【符号の説明】
【００２４】
１    サイドレール
１１  固定柵
１２  可動柵
１３  状態保持手段
２１  腕置き部
Ｂ    ベッド
【図１】
2007082873.tif 000003
【図２】
2007082873.tif 000004
【図３】
2007082873.tif 000005
【図４】
2007082873.tif 000006
【図５】
2007082873.tif 000007
【図６】
2007082873.tif 000008